(57)【要約】【課題】  １つの周期記録予約に基づいて記録された複数の番組データを簡単な操作でダビングすることのできるデータ記録装置を提供すること。【解決手段】  少なくとも１つの周期記録予約情報に基づく複数の番組データ、および、複数の番組データをそれぞれ管理するための複数の管理情報（タイトル管理データ）を格納するための第１の記録媒体と、第２の記録媒体とを備える。複数の管理情報は、周期記録予約情報の識別データ（エピソード番号）を含み、複数の管理情報に含まれる識別データのうちの１つをユーザに指定させる（ステップＳ１８）。そして、指定された識別データを含む管理情報を検索する（ステップＳ１９）。複数の番組データのうち、検索された管理情報に対応する番組データを順次読み出して、読み出された番組データを、第１の記録媒体から第２の記録媒体にダビングする（ステップＳ２０）。【選択図】        図６
2007013589.tif 000002
【特許請求の範囲】
【請求項１】
少なくとも１つの周期記録予約情報に基づく複数の番組データを格納するための第１の記録媒体と、および、前記複数の番組データをそれぞれ管理するための複数の管理情報を格納するための第１の記録媒体と、
第２の記録媒体と、
前記複数の番組データをそれぞれ管理するための複数の管理情報を格納するための記憶部とを備え、
前記複数の管理情報は、前記周期記録予約情報に対応する識別情報を含み、
前記複数の管理情報に含まれる識別情報のうちの１つをユーザに指定させるための指定手段と、
指定された前記識別情報を含む管理情報を検索するための検索手段と、
前記複数の番組データのうち、検索された前記管理情報に対応する番組データを順次読み出すための読み出し手段と、
読み出された前記番組データを、前記第１の記録媒体から前記第２の記録媒体にダビングするためのダビング手段とをさらに備える、データ記録装置。
【請求項２】
少なくとも１つの周期記録予約情報に基づく複数の番組データ、および、前記複数の番組データをそれぞれ管理するための複数の管理情報を格納するための第１の記録媒体と、
第２の記録媒体とを備え、
前記複数の管理情報は、前記周期記録予約情報に対応する識別情報を含み、
ユーザからの指示に基づいて、前記識別情報に対応する前記複数の番組データから少なくとも１つの番組データを順次読み出すための読み出し手段と、
読み出された前記番組データを、前記第１の記録媒体から前記第２の記録媒体に記録するための記録手段とをさらに備える、データ記録装置。
【請求項３】
前記複数の管理情報に含まれる識別情報のうちの１つをユーザに指定させるための指定手段と、
指定された前記識別情報を含む管理情報を検索するための検索手段とをさらに備え、
前記読み出し手段は、前記複数の番組データのうち、検索された前記管理情報に対応する番組データを順次読み出す、請求項２に記載のデータ記録装置。
【請求項４】
前記ダビング手段によりダビングされた前記対象データに対応する前記管理情報には、さらに、ダビング済みであることを示すダビング処理データが含まれる、請求項２に記載のデータ記録装置。
【請求項５】
前記複数の管理情報に含まれる識別情報のうちの１つをユーザに指定させるための指定手段と、
指定された前記識別情報を含む管理情報を検索するための検索手段と、
検索された前記管理情報の前記ダビング処理データの有無に基づいて、対応する番組データがダビング済みか否かを表示させるための信号を生成する生成手段と、
検索された前記管理情報に対応する複数の番組データのうち、ダビングの対象の番組データを少なくとも１つ選択するための選択手段とをさらに備え、
前記読み出し手段は、前記複数の番組データのうち、選択された前記番組データを順次読み出す、請求項２に記載のデータ記録装置。
【請求項６】
前記第１の記録媒体には、さらに、前記識別情報ごとの周期管理情報が格納され、
前記周期記録予約情報に基づいて番組データが前記第１の記録媒体に記録された場合に、前記周期記録予約情報に関する識別情報に対応する前記周期管理情報を更新するための更新手段をさらに備える、請求項２に記載のデータ記録装置。
【発明の詳細な説明】
【技術分野】
【０００１】
本発明は、データ記録装置に関し、特に、一方の記録媒体に記録されたデータを他方の記録媒体へ再記録する（以下、「ダビング」という）ことのできるデータ記録装置に関する。
【背景技術】
【０００２】
近年、２以上の記録媒体を搭載したデータ記録装置が普及している。たとえば、大容量のハードディスク装置とＤＶＤ(Digital Versatile Disc）駆動装置とを搭載したデータ記録装置などが存在する。これにより、１つのデータ記録装置で、一方の記録媒体に記録されたデータを他方の記録媒体へダビングすることができる。
【０００３】
また、このような装置において複数のコンテンツを一括してダビングする技術が提案されている。たとえば、特許文献１には、第１の記録媒体上で連続性を有するコンテンツを複数の第２の記録媒体へ記録する際に、コンテンツの連続性を確保して記録することが開示されている。また、特許文献２には、複数のコンテンツを連続してダビングする場合に、ユーザがダビングの順序を指定できることが開示されている。
【特許文献１】特開２００５−１１４７２号公報
【特許文献２】特開２００２−１１２１５０号公報
【発明の開示】
【発明が解決しようとする課題】
【０００４】
しかしながら、上記技術では、１つの周期記録予約に基づいて記録された複数の番組データを、簡単な操作でダビングすることはできない。
【０００５】
本発明は、上記のような問題を解決するためになされたものであって、その目的は、１つの周期記録予約に基づいて記録された複数の番組データを簡単な操作でダビングすることのできるデータ記録装置を提供することである。
【課題を解決するための手段】
【０００６】
この発明のある局面に従うデータ記録装置は、少なくとも１つの周期記録予約情報に基づく複数の番組データを格納するための第１の記録媒体と、第２の記録媒体と、前記複数の番組データをそれぞれ管理するための複数の管理情報を格納するための記憶部とを備え、複数の管理情報は、周期記録予約情報に対応する識別情報を含み、複数の管理情報に含まれる識別情報のうちの１つをユーザに指定させるための指定手段と、指定された識別情報を含む管理情報を検索するための検索手段と、複数の番組データのうち、検索された管理情報に対応する番組データを順次読み出すための読み出し手段と、読み出された番組データを、第１の記録媒体から第２の記録媒体にダビングするためのダビング手段とをさらに備える。
【０００７】
この発明の他の局面に従うデータ記録装置は、少なくとも１つの周期記録予約情報に基づく複数の番組データ、および、複数の番組データをそれぞれ管理するための複数の管理情報を格納するための第１の記録媒体と、第２の記録媒体とを備え、複数の管理情報は、周期記録予約情報に対応する識別情報を含み、ユーザからの指示に基づいて、識別情報に対応する複数の番組データから少なくとも１つの番組データを順次読み出すための読み出し手段と、読み出された番組データを、第１の記録媒体から第２の記録媒体に記録するための記録手段とをさらに備える。
【０００８】
好ましくは、複数の管理情報に含まれる識別情報のうちの１つをユーザに指定させるための指定手段と、指定された識別情報を含む管理情報を検索するための検索手段とをさらに備え、読み出し手段は、複数の番組データのうち、検索された管理情報に対応する番組データを順次読み出す。
【０００９】
好ましくは、ダビング手段によりダビングされた対象データに対応する管理情報には、さらに、ダビング済みであることを示すダビング処理データが含まれる。
【００１０】
好ましくは、複数の管理情報に含まれる識別情報のうちの１つをユーザに指定させるための指定手段と、指定された識別情報を含む管理情報を検索するための検索手段と、検索された管理情報のダビング処理データの有無に基づいて、対応する番組データがダビング済みか否かを表示させるための信号を生成する生成手段と、検索された管理情報に対応する複数の番組データのうち、ダビングの対象の番組データを少なくとも１つ選択するための選択手段とをさらに備え、読み出し手段は、複数の番組データのうち、選択された番組データを順次読み出す。
【００１１】
好ましくは、第１の記録媒体には、さらに、識別情報ごとの周期管理情報が格納され、周期記録予約情報に基づいて番組データが第１の記録媒体に記録された場合に、周期記録予約情報に関する識別情報に対応する周期管理情報を更新するための更新手段をさらに備える。
【発明の効果】
【００１２】
本発明によると、周期記録予約情報の識別情報をユーザが指定することで、指定された識別情報を含む管理情報に対応する複数の番組データが順次ダビングされる。これにより、１つの周期記録予約情報に基づく複数の番組データを、簡単な操作で、一括してダビングすることが可能となる。
【発明を実施するための最良の形態】
【００１３】
本発明の実施の形態について図面を参照しながら詳細に説明する。なお、図中同一または相当部分には同一符号を付してその説明は繰返さない。
【００１４】
図１を参照して、本発明の実施の形態に係るデータ記録装置の一態様であるＤＶＤレコーダ１００について説明する。図１は、ＤＶＤレコーダ１００のハードウェア構成を表わすブロック図である。
【００１５】
ＤＶＤレコーダ１００は、各種データおよびプログラムを格納するためのメモリ１１２と、格納されているデータおよび外部から入力される指示に基づいて予め定められた処理を実行するためのシステム制御部１１０と、外部からユーザの指示の入力を受付けるための操作部１２２と、リモコン信号を受信して所定の制御信号をシステム制御部１１０に出力するための受光部１２４と、時刻を計測して信号をシステム制御部１１０に出力するための計時回路１２６と、ＤＶＤレコーダ１００の作動状態を表わす情報を表示するための表示部１２８とを含む。なお、表示部１２８に表示される作動状態とは、たとえば、ＤＶＤレコーダにおける時刻情報等である。
【００１６】
図１を再び参照して、ＤＶＤレコーダ１００はさらに、アンテナ１９０と、受信された電波から所定の電波を選択するためのチューナ１３０と、外部から映像および音声信号の入力を受付けるための外部入力部１３２と、入力される信号を所定の処理に基づいて圧縮するためのＭＰＥＧ（Moving Picture Experts Group）エンコーダ１５２と、システム制御部１１０からの指示に基づいてデジタルデータを格納するためのハードディスク装置１４０と、ＤＶＤ１７２を駆動して映像音声データを記録したり再生したりするためのＤＶＤ駆動装置１７０と、圧縮されている映像音声信号を復号化するためのＭＰＥＧデコーダ１５４と、映像の表示画面にＤＶＤレコーダ１００の作動状態その他の情報を表示する信号を生成するためのＯＳＤ（On Screen Display）画像生成回路１１４と、ＯＳＤ画像生成回路１１４により生成された信号とＭＰＥＧデコーダ１５４からの出力信号とを合成して出力するための合成回路１５８と、入力されるデジタル信号をアナログ信号に変換して出力するためのＤ／Ａ（Digital to Analog）変換部１６０と、伝送ケーブル１９２が接続可能であり映像音声信号を出力するための出力部１６８とを含む。ＤＶＤレコーダ１００は、伝送ケーブル１９２を介して、テレビ４００に接続されている。ハードディスク装置１４０は、データの記録と再生を行なうデータ記録再生ヘッド１４２と、データが記録されるハードディスク１４４とを含む。
【００１７】
本発明の実施の形態におけるＤＶＤレコーダ１００は、エピソード予約録画機能を有する。「エピソード予約録画」とは、エピソード予約による番組データの録画をいう。「エピソード予約」とは、周期録画（記録）予約、すなわち、毎週月曜，毎日，毎週平日など各周期に基づいて複数の録画予約を一度に行なうことをいう。
【００１８】
ここで、エピソード予約録画について説明する。本実施の形態においては、放送番組に基づく番組データは、ハードディスク装置１４０によりハードディスク１４４に記録されるものとして説明する。なお、番組データは、ＤＶＤ１７２など他の記録媒体に記録されてもよい。
【００１９】
ハードディスク１４４は、データ領域と管理領域とを含む。データ領域には、チューナ１３０が受信した放送番組に基づく番組データが格納される。管理領域には、録画予約管理テーブル（図２参照）とタイトル管理テーブル（図３参照）とが所定の領域に格納される。
【００２０】
録画予約管理テーブルは、ユーザにより設定された録画予約情報（以下「録画予約管理データ）を有する。また、タイトル管理テーブルは、データ領域に格納されている番組データごとの管理情報（以下「タイトル管理データ」という）を有する。
【００２１】
また、本実施の形態では、管理領域に、さらに、エピソード予約により記録された番組データに関して、後述するエピソード管理テーブル（図４参照）が格納されてもよい。以下、管理領域にエピソード管理テーブルも格納されるものとして説明する。
【００２２】
図２は、本発明の実施の形態における録画予約管理テーブルの構造例を示す図である。
図２を参照して、録画予約管理テーブルは、録画予約管理データＡｉ（ｉ＝１、２、３、…、ｎ）を有する。録画予約管理データＡｉは、録画日時データＣ１、チャンネルデータＣ２、エピソード番号データＣ３および周期データＣ４を含む。
【００２３】
エピソード番号データＣ３は、エピソード予約を識別するための識別情報である。本実施の形態においては、識別情報として、ユーザによりエピソード予約が設定された場合に付与されるエピソード番号が格納される。このエピソード番号は、たとえば、エピソード予約の設定順に、数字（１，２，３，…）が付与される。したがって、録画予約管理データＡｉがエピソード予約に基づく管理データである場合にのみ、エピソード番号が記録される。なお、エピソード予約設定の際に、エピソード番号が所定の値（たとえば５０）に達した場合には、たとえば、初期値（１）に戻り、空いている数字が付与されるものとする。
【００２４】
周期データＣ４は、エピソード予約の周期を表わす周期情報である。周期データＣ４には、周期情報として、ユーザにより設定されたエピソード予約の内容に従って、たとえば、周期が毎日であれば“０”、周期が毎週日曜であれば“１”、周期が毎週月曜であれば“２”といった数字が格納される。
【００２５】
図３は、本発明の実施の形態におけるタイトル管理テーブルの構造例を示す図である。
図３を参照して、タイトル管理テーブルは、データ領域に記録された番組データを、番組（「タイトル」ともいう）ごとに管理するタイトル管理データＢｊ（ｊ＝１、２、３、…、ｍ）を有する。
【００２６】
タイトル管理データＢｊは、対応の番組データを特定するための情報として、録画日時データＤ１、チャンネルデータＤ２、開始アドレスデータＤ３、終了アドレスデータＤ４およびエピソード番号データＤ５を含む。
【００２７】
エピソード番号データＤ５は、エピソード予約により録画された番組データを識別するための識別情報である。本実施の形態においては、識別情報として、録画予約管理テーブルの録画予約管理データＡｉに含まれるエピソード番号データＣ３と同一のエピソード番号が格納される。なお、録画予約管理データＡｉのエピソード番号データＣ３におけるエピソード番号と、タイトル管理データＢｊのエピソード番号データＤ５におけるエピソード番号は、エピソード番号データＣ３とエピソード番号データＤ５とが対応付けられていれば、必ずしも同一でなくてもよい。また、ここでは、いずれもエピソード番号で管理されるものとして説明するが、他の識別情報たとえば番組のタイトル名などにより管理されてもよい。
【００２８】
図４は、本発明の実施の形態におけるエピソード管理テーブルの構造例を示す図である。
【００２９】
図４を参照して、エピソード管理テーブルは、エピソード番号ごとに、エピソード管理データＥｋ（ｋ＝１、２、３、…、ｐ）を有する。エピソード管理データＥｋは、ユーザによりエピソード予約が設定されて録画予約管理データＡｉが生成される際に、生成されてもよいし、録画予約管理データＡｉに基づいてはじめて録画されたときに、生成されてもよい。本実施の形態では、録画予約管理データＡｉに基づいてはじめて録画されたときに、生成されるものとして説明する。
【００３０】
図４を参照して、エピソード管理データＥｋは、エピソード番号データＦ１、周期内容データＦ２、タイトル数データＦ３およびタイトル名データＦ４を含む。
【００３１】
エピソード番号データＦ１には、エピソード番号データＣ３およびＤ５と同じエピソード番号が１つ格納される。周期内容データＦ２には、録画予約管理データＡｉの録画日時データＣ１、チャンネルデータＣ２および周期データＣ４に基づく、録画される番組データの周期内容を示す情報が格納される。タイトル数データＦ３には、エピソード番号データＦ１と同じエピソード番号が格納されているタイトル管理データの数、すなわち、１つのエピソード予約に基づいて録画されたタイトル（番組データ）の数が格納される。タイトル名データＦ４には、たとえば、ユーザが設定したタイトル名が格納される。あるいは、ＥＰＧ（Electric Program Guide）によって取得される番組名が格納されてもよい。
【００３２】
なお、本実施の形態では、図２〜図４に示した管理テーブルは、ハードディスク１４４内の管理領域に格納されるものとして説明するが、これらの管理テーブルの一部またはすべては、他の記憶部たとえばメモリ１１２に格納されてもよい。
【００３３】
図５は、本発明の実施の形態において、エピソード予約録画の際に実行される処理を示すフローチャートである。図５に示される処理は、エピソード予約による録画が開始されるとともに、システム制御部１１０により実行される処理である。また、図５に示される処理は、予めプログラムとしてメモリ１１２に格納されており、システム制御部１１０がこのプログラムを読み出して実行することにより実現される。
【００３４】
図５を参照して、システム制御部１１０は、エピソード予約録画を実行する（ステップＳ２）。ステップＳ２の処理が終わると、ステップＳ４に進む。
【００３５】
ステップＳ４において、システム制御部１１０は、今回のエピソード予約録画に対応する録画予約管理データに含まれるエピソード番号データＣ３と、同じエピソード番号が格納されているエピソード管理データが存在するか否かを判断する。同じエピソード番号のエピソード管理データがあると判断された場合には（ステップＳ４においてＹＥＳ）、ステップＳ６に進む。一方、同じエピソード番号のエピソード管理データがないと判断した場合（ステップＳ４においてＮＯ）、ステップＳ８に進む。
【００３６】
ステップＳ６において、システム制御部１１０は、対象のエピソード管理データ、すなわち、今回のエピソード予約録画に対応する録画予約管理データに含まれるエピソード番号データＣ３と、同じエピソード番号が格納されているエピソード管理データのタイトル数を“１”加算する。
【００３７】
ステップＳ８において、システム制御部１１０は、新たなエピソード管理データを生成する。この場合、タイトル数データＦ３には“１”が格納される。
【００３８】
ステップＳ６またはステップＳ８の処理が終わると、システム制御部１１０は、今回エピソード予約録画が行なわれた番組データに対応するタイトル管理データのエピソード番号データＤ５に、エピソード番号データＣ３と同じエピソード番号を格納する（ステップＳ１０）。続いて、システム制御部１１０は、録画予約管理データの録画日時データＣ１を更新する（ステップＳ１２）。
【００３９】
以上で、エピソード予約録画の際に実行される処理は終了される。
このように、本実施の形態では、エピソード番号ごとにエピソード管理データが生成されるので、エピソード予約録画された番組データの情報を表示する際の時間を短縮することができる。
【００４０】
次に、エピソード予約録画が行なわれた番組データを一括してダビングする処理について説明する。なお、このようなダビングを、以下「エピソードダビング」というものとする。
【００４１】
図６は、本発明の実施の形態におけるダビング処理を示すフローチャートである。図６に示される処理は、ユーザによりダビングメニューが選択された場合に開始される処理である。また、図６に示される処理もまた、予めプログラムとしてメモリ１１２に格納されており、システム制御部１１０がこのプログラムを読み出して実行することによりダビングの機能が実現される。
【００４２】
図６を参照して、始めに、システム制御部１１０は、ダビングメニュー選択画面を表示する（ステップＳ１２）。ダビングメニューの表示例を図７に示す。図７を参照して、テレビ４００には、“通常ダビング”を選択するためのボタン７１と“エピソードダビング”を選択するためのボタン７２とが表示される。そして、ユーザが、たとえば図示しないリモコンのカーソルキーおよび決定キーなどを操作することにより、１つのボタンが選択される。なお、“通常ダビング”とは、たとえば、ユーザにより１つのタイトルが選択されて、選択された１つのタイトルのみをダビングする処理や、ユーザが複数のタイトルを１つずつ選択することによって一括でダビングする処理などをいうものとする。
【００４３】
再び図６を参照して、システム制御部１１０は、次に、エピソードダビングが選択されたか否かを判断する（ステップＳ１４）。エピソードダビングが選択されたと判断した場合（ステップＳ１４においてＹＥＳ）、ステップＳ１６に進む。一方、エピソードダビングが選択されなかった場合、すなわち、通常ダビングを選択された場合（ステップＳ１４においてＮＯ）、システム制御部１１０は、所定の処理を実行する（ステップＳ２２）。ステップＳ２２の後、このダビング処理は終了される。
【００４４】
ステップＳ１６において、システム制御部１１０は、管理領域に記憶されているエピソード管理テーブルのエピソード管理データを読出して、“エピソード一覧”を表示する。ステップＳ１６において表示されたエピソード一覧の一例を図８に示す。
【００４５】
図８を参照して、テレビ４００には、エピソード番号毎にエピソード管理データの内容がたとえばテーブル形式で表示される。図８において、テーブルにおける列８１には、エピソード番号が表示され、列８２には、それぞれの周期内容が表示される。また、テーブルにおける列８３には、それぞれのタイトル数が表示され、列８４には、それぞれのタイトル名が表示される。たとえば、エピソード番号が“１”のエピソード管理データについては、列８２に「毎週月曜  ２１：００〜２２：００  ８ｃｈ」が表示され、列８３には、「７」が表示され、列８４には「ＡＢＣドラマ」が表示されている。そして、ユーザが、たとえば図示しないリモコンのカーソルキーおよび決定キーなどを操作することにより、１つのエピソード番号が選択される。
【００４６】
再び図６を参照して、システム制御部１１０は、次に、エピソード番号が選択されたか否かを判断する（ステップＳ１８）。エピソード番号が選択されるまで（ステップＳ１８においてＮＯ）、ステップＳ１８の判断を繰返す。
【００４７】
ステップＳ１８において、エピソード番号が選択されたと判断した場合（ステップＳ１８においてＹＥＳ）、システム制御部１１０は、選択されたエピソード番号が格納されているタイトル管理データを検索する（ステップＳ１９）。そして、システム制御部１１０は、検索されたタイトル管理データに対応するタイトルを、順次ダビングする（ステップＳ２０）。より具体的には、タイトル管理データの録画日時データＤ１の古い順に、番組データを読み出して、ＤＶＤ１７２へダビングする。
【００４８】
以上で、本発明の実施の形態におけるダビング処理を終了する。
上述のように、本発明の実施の形態では、ユーザがエピソードダビングを選択した場合、ユーザは１つのエピソード番号を選択するだけで、そのエピソード番号が格納されている複数のタイトルを一括してダビングさせることができる。これにより、ユーザが１つずつダビング対象のタイトルを選択する必要がなくなるので、操作性を向上させることができる。
【００４９】
（変形例）
次に、本発明の実施の形態の変形例におけるデータ記録装置の一態様であるＤＶＤレコーダについて説明する。変形例におけるＤＶＤレコーダの構成および各動作については、実施の形態と同様である。したがって、ここでも図１に示したＤＶＤレコーダ１００と同じ符号を用いる。
【００５０】
上記実施の形態では、エピソード番号を指定すると、対象のタイトル管理データのたとえば古い順に番組データを読み出してダビングするものであった。実施の形態の変形例では、エピソード番号を選択した後に、さらに、ダビング対象のタイトルを選択することができる。これにより、複数のタイトルを計画的にダビングすることができる。
【００５１】
図９は、本発明の実施の形態の変形例におけるタイトル管理テーブルの構造例を示す図である。図９を参照して、タイトル管理データＢ′ｊ（ｊ＝１、２、３、…、ｎ）は、上述の録画日時データＤ１、チャンネルデータＤ２、開始アドレスデータＤ３、終了アドレスデータＤ４およびエピソード番号データＤ５に加え、ダビング処理データＤ６を含む。ダビング処理データＤ６は、エピソードダビングが行なわれたか否かを識別するための情報である。たとえば、エピソードダビングが行なわれた場合には、“１”が格納され、エピソードダビングが行なわれていない場合には、“０”が格納される。
【００５２】
図１０は、本発明の実施の形態の変形例におけるダビング処理を示すフローチャートである。なお、上記した図６のフローチャートに示される処理と同様の処理については、同じステップ番号を付し、ここでの説明は繰返さない。
【００５３】
図１０を参照して、上記実施の形態と同様に、システム制御部１１０は、ステップＳ１２〜ステップＳ１９およびステップＳ２２の処理を行なう。
【００５４】
システム制御部１１０は、ステップＳ１９の処理を終えると、次に、ステップＳ１９において検索されたタイトル管理データにおけるダビング処理データＤ６などの情報を読出す（ステップＳ１００）。続いて、システム制御部１１０は、ステップＳ１９で検索されたタイトル管理データに対応するタイトル一覧を表示する（ステップＳ１０２）。
【００５５】
ステップＳ１０２の表示例を図１１に示す。図１１を参照して、テレビ４００には、ダビング対象のタイトルを選択するための画面が表示される。ここでは、エピソード番号“１”の複数のタイトル管理データの情報がそれぞれ表示される。図１１では、エピソード番号“１”のタイトル管理データのうち、録画日付が古い順に５つ表示されている。図１１において、列９２には、各番組データの録画日が表示され、列９３には、各番組データのエピソードダビング済みか否かの情報、たとえば“済”あるいは“未”が表示されている。また、画面上には、“エピソードダビング対象のタイトルを選択して下さい”というメッセージＭ９が表示されている。また、表示されている５つのタイトル情報それぞれに、チェックボックス９１．１〜９１．５が設けられている。これにより、ユーザが、たとえば図示しないリモコンのカーソルキーおよび決定キーなどを操作することにより、ダビング対象のタイトルが１つまたは複数選択される。また、対応のタイトル管理データが６以上ある場合には、たとえば、図示しないリモコンのカーソルキーを操作することで、残りのタイトル情報が表示される。
【００５６】
再び図１０を参照して、システム制御部１１０は、次に、ダビング対象のタイトルの選択を受付ける（ステップＳ１０４）。そして、システム制御部１１０は、選択されたタイトルを、順次ダビングする（ステップＳ１０６）。より具体的には、選択されたタイトルの中で、タイトル管理データの録画日時データＤ１の古い順に、番組データを読み出して、ＤＶＤ１７２へダビングする。
【００５７】
ステップＳ１０６の処理が終わると、ダビングしたタイトルのエピソードダビングのフラグをＯＮにする（ステップＳ１０８）。すなわち、エピソードダビングを行なったタイトルに対応するタイトル管理データにおけるダビング処理データＤ６に、“１”を格納する。
【００５８】
以上で、本発明の実施の形態の変形例におけるエピソードダビング処理を終了する。
このように、本実施の形態における変形例では、各タイトル管理データに、エピソードダビング済みか否かの情報を保持させる。これにより、次回、ユーザがエピソードダビングを行なうときに、前回どこまでダビングをしたかを容易に把握することができ、利便性を向上させることができる。
【００５９】
なお、本発明の実施の形態およびその変形例では、ハードディスク１４４の管理領域に、エピソード管理テーブルを格納することとしたが、エピソード管理テーブルを設けなくてもよい。この場合、たとえば、上記ステップＳ１６において、タイトル管理データＢｊと録画予約管理データＡｉとから、図８に示したようなエピソード一覧を表示させることができる。このようにすることで、ＤＶＤ１７２からハードディスク１４４へのダビングにも適用することができる。
【００６０】
また、本実施の形態およびその変形例においては、ハードディスク装置１４０とＤＶＤ駆動装置１７０とを搭載したＤＶＤレコーダ１００を用いて説明したが、たとえば、メモリカードやＣＤ（Compact Disc）などの記録媒体を搭載したデータ記録装置であってもよい。また、たとえばＵＳＢ（Universal Serial Bus）で接続可能な他機器にダビングするものであってもよい。
【００６１】
なお、上記ＤＶＤ１７２の代わりに、プログラムを記録しているたとえば光学媒体等を駆動装置で読み出して、メモリ１１２のプログラムをアップデートすることもできる。
【００６２】
また、本発明のデータ記録装置が行なう、ダビング方法を、プログラムとして提供することもできる。このようなプログラムは、ＣＤ−ＲＯＭ（Compact Disc-ROM）などの光学媒体や、メモリカードなどのコンピュータ読取り可能な記録媒体にて記録させて、プログラム製品として提供することもできる。また、ネットワークを介したダウンロードによって、プログラムを提供することもできる。
【００６３】
提供されるプログラム製品は、ハードディスクなどのプログラム格納部にインストールされて実行される。なお、プログラム製品は、プログラム自体と、プログラムが記録された記録媒体とを含む。
【００６４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６５】
【図１】本発明の実施の形態に係るＤＶＤレコーダのハードウェア構成を表わすブロック図である。
【図２】本発明の実施の形態における録画予約管理テーブルの構造例を示す図である。
【図３】本発明の実施の形態におけるタイトル管理テーブルの構造例を示す図である。
【図４】本発明の実施の形態におけるエピソード管理テーブルの構造例を示す図である。
【図５】本発明の実施の形態において、エピソード予約録画の際に実行される処理を示すフローチャートである。
【図６】本発明の実施の形態におけるダビング処理を示すフローチャートである。
【図７】図６のステップＳ１２におけるダビングメニューの表示例を示す図である。
【図８】図６のステップＳ１６におけるエピソード一覧の一例を示す図である。
【図９】本発明の実施の形態の変形例におけるタイトル管理テーブルの構造例を示す図である。
【図１０】本発明の実施の形態の変形例におけるダビング処理を示すフローチャートである。
【図１１】図１０のステップＳ１０２におけるタイトル選択画面の表示例を示す図である。
【符号の説明】
【００６６】
１００  ＤＶＤレコーダ、１１０  システム制御部、１１２  メモリ、１１４  ＯＳＤ画像生成回路、１２２  操作部、１２４  受光部、１２６  計時回路、１２８  表示部、１３０  チューナ、１３２  外部入力部、１４０  ハードディスク装置、１４２  データ記録再生ヘッド、１４４  ハードディスク、１５２  ＭＰＥＧエンコーダ、１５４  ＭＰＥＧデコーダ、１５８  合成回路、１６０  Ｄ／Ａ変換部、１６８  出力部、１７０  ＤＶＤ駆動装置、１７２  ＤＶＤ、１９０  アンテナ、４００  テレビ。
【図１】
2007013589.tif 000003
【図２】
2007013589.tif 000004
【図３】
2007013589.tif 000005
【図４】
2007013589.tif 000006
【図５】
2007013589.tif 000007
【図６】
2007013589.tif 000008
【図７】
2007013589.tif 000009
【図８】
2007013589.tif 000010
【図９】
2007013589.tif 000011
【図１０】
2007013589.tif 000012
【図１１】
2007013589.tif 000013